【事件の表示】
　特許第３２０４９９９号「液晶バックライト用エッジライトパネル」の請求項１ないし３に係る特許に対する特許異議の申立てについて、次のとおり決定する。
【結　論】
　訂正を認める。
　特許第３２０４９９９号の請求項１ないし３に係る特許を取り消す。
【理　由】
１．手続の経緯
　特許第３２０４９９９号の請求項１〜３に係る発明についての出願は、特許法第４１条に基づく優先権主張を伴う平成３年３月１９日（優先日、平成２年６月２６日）の出願であって、平成１３年６月２９日にその発明について特許権の設定登録がなされ、その後、比気美保子により特許異議の申立てがなされ、取消しの理由が通知され、その指定期間内である平成１４年７月２２日に訂正請求がなされたものである。
　
２．訂正の適否
（１）訂正の内容
　特許権者が求めている訂正の内容は以下ａ〜ｍのとおりである。
ア．訂正事項ａ
　発明の名称を「エッジライトパネル」から「
液晶バックライト用
イ．訂正事項ｂ
　請求項１における「透明樹脂基板」なる記載を「
２〜３ｍｍ乃至それ以下に肉厚を薄肉化した
ウ．訂正事項ｃ
　請求項１における「裏面に乱反射面を形成する」なる記載を「裏面に
ドットパターンの
印刷形成又は成型
エ．訂正事項ｄ
　請求項１における「２次的な面照明を行なうようにする」なる記載を「
輝度と均一性を相当程度高度に確保した
の液晶表示面背面照明
行う
オ．訂正事項ｅ
　請求項１における「上記入射端面をその長手方向全体的又は部分的に微細点状凹凸を配置した微細粗面として形成する」なる記載を「
上記透明樹脂基板の肉厚の薄肉化によって入射光乱反射のサイクルが小さくなり乱反射が促進されて入射光が消耗することに起因する輝度不足及び全体の均一性低下に対して
カ．訂正事項ｆ
　請求項１における「上記２次的な面照明における輝度向上と均一性向上の手段としてなることを特徴とするエッジライトパネル」なる記載を「上記２次的な面照明における輝度向上と均一性向上の手段として
上記液晶表示面の輝度と均一性を向上して
液晶バックライト用
キ．訂正事項ｇ
　請求項２及び３における「エッジライトパネル」なる記載を「
液晶バックライト用
ク．訂正事項ｈ
　明細書段落番号【０００１】の「本発明は，液晶バックライト，照明ディスプレイ，照明サイン，照明体等として好適に使用する面照明用のエッジライトパネルに関する。」なる記載を「本発明は
エッジライトパネルに関し，特に液晶バックライト用
ケ．訂正事項ｉ
　明細書段落番号【０００６】の「薄肉のものとした場合を含め，２次的な照明における輝度と均一性を更に高度に確保することができるエッジライトパネルを提供するにある。」なる記載を「薄肉のものとした
場合に
液晶バックライト用
コ．訂正事項ｊ
　明細書段落番号【０００７】の「透明樹脂基板の裏面に乱反射面を形成することによって１次光源から入射端面を介して供給される入射光によって２次的な面照明を行なうようにするとともに上記入射端面をその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段としてなることを特徴とするエッジライトパネルとしたものである。」なる記載を「
２〜３ｍｍ乃至それ以下に肉厚を薄肉化した
ドットパターンの
印刷形成又は成型
蛍光灯の
輝度と均一性を相当程度高度に確保した
の液晶表示面背面照明
行う
上記透明樹脂基板の肉厚の薄肉化によって入射光乱反射のサイクルが小さくなり乱反射が促進されて入射光が消耗することに起因する輝度不足及び全体の均一性低下に対して
上記液晶表示面の輝度と均一性を向上して
液晶バックライト用
サ．訂正事項ｋ
　明細書段落番号【０００８】及び【０００９】の「エッジライトパネル」なる記載を「
液晶バックライト用
シ．訂正事項ｌ
　明細書段落番号【００１４】の「エッジライトパネル９は，透明樹脂基板１０の裏面に乱反射面１１を形成することによって蛍光灯の１次光源１７から入射端面１４を介して供給される入射光によって２次的な面照明を行なうようにしてあり」なる記載を「エッジライトパネル９は，
２〜３ｍｍ乃至それ以下に肉厚を薄肉化した
ドットパターンの
印刷形成又は成型
源か
輝度と均一性を相当程度高度に確保した
の液晶表示面背面照明
行う
ス．訂正事項ｍ
　明細書段落番号【００１５】の「エッジライトパネル９の入射端面１４は，これをその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段としてあり」なる記載を「エッジライトパネル９
は，上記透明樹脂基板１０の肉厚の薄肉化によって入射光乱反射のサイクルが小さくなり乱反射が促進されて入射光が消耗することに起因する輝度不足及び全体の均一性低下に対して上記
を
上記液晶表示面の輝度と均一性を向上したものとして
（２）訂正の目的の適否、新規事項の有無、及び特許請求の範囲の拡張・変更の存否
ア．訂正事項ｂについて
　訂正事項ｂに関連する記載として、願書に添付した明細書及び図面（以下、「特許明細書」という。）の段落番号【０００５】には、「エッジライトパネルは，・・・２〜３ｍｍ乃至それ以下の，例えば１．５ｍｍ程度に薄肉化する必要がある」と記載されているのであるから、透明樹脂基板として「２〜３ｍｍ乃至それ以下に肉厚を薄肉化した透明樹脂基板」を用いた発明は特許明細書に記載されているものと認められる。
　そうすると、訂正事項ｂは、特許明細書に記載された範囲内において透明樹脂基板の肉厚を限定するものであるといえるから、特許明細書に記載された範囲内において、特許請求の範囲の減縮を目的とした明細書の訂正に該当するものであって、新規事項の追加に該当しない。
イ．訂正事項ｃについて
　訂正事項ｃは、透明樹脂基板の裏面の乱反射面を「ドットパターン」とし、「印刷成形又は成形成形」すると限定するものである。
　訂正事項ｃに関連する記載として、特許明細書の段落番号【００１４】には、実施例として「エッジライトパネル９は，透明樹脂基板１０の裏面に乱反射面１１を形成する・・・，このとき本例のエッジライトパネル９は，例えば・・・肉厚２mmに薄肉化した矩形に板取したアクリル製透明樹脂基板１０を用い，その裏面に略全面に亘って多数高密度に分布した無段階変化のドットパターンによる乱反射面１１をスクリーン印刷によって印刷形成したものとしてあり」と記載されていて、「裏面にドットパターンの乱反射面を印刷形成」することが示唆され、また特許明細書の段落番号【０００２】には、従来の技術として「このとき透明樹脂基板は，アクリル等の光透過率の高い材料によって，その肉厚を一般に数mm，例えば５〜６mm程度のものとされ，例えばその裏面にスクリーン印刷を施すことによって，例えばドットパターンによる乱反射面を印刷形成し，また透明樹脂基板を成型することによって同様な乱反射面を成型形成するものとされ」と記載されていて、裏面にドットパターンの乱反射面を形成する例として印刷形成とともに成型形成することも示唆されていることから、透明樹脂基板の「裏面にドットパターンの乱反射面を印刷形成又は成型形成する」ことは、特許明細書に記載されているものと認められる。
　そうすると、上記訂正事項ｃは、特許明細書に記載された範囲内において透明樹脂基板の裏面の乱反射面を限定するものであるから、特許請求の範囲の減縮を目的とした明細書の訂正に該当するものであって、新規事項の追加に該当しない。
ウ．訂正事項ｄについて
　訂正事項ｄは、「２次的な面照明」を「液晶表示面背面照明」として使用し、その照明において「輝度と均一性を相当程度高度に確保」すると限定するものである。
　訂正事項ｄに関連する記載としては、特許明細書の段落番号【０００３】に、「この場合２次的な面照明の輝度と均一性を相当程度高度に確保することができ，例えば液晶表示面を背面照明する液晶バックライトとしてラップトップ型コンピュータ，ワードプロセッサ等の電子機器に内蔵設置されることも多く」と記載されているのであるから、「２次的な面照明」を「液晶表示面背面照明」とすることも、その照明において「輝度と均一性を相当程度高度に確保」することも特許明細書に記載されているものと認められる。
　そうすると、上記訂正事項ｄは、特許明細書に記載された範囲内において「２次的な面照明」を「液晶表示面背面照明」として使用し、その照明において「輝度と均一性を相当程度高度に確保」すると限定するものといえるから、特許請求の範囲の減縮を目的とした明細書の訂正に該当するものであって、新規事項の追加に該当しない。
エ．訂正事項ｅについて
　訂正事項ｅは、「微細粗面」を形成する目的を、「上記透明樹脂基板の肉厚の薄肉化によって入射光乱反射のサイクルが小さくなり乱反射が促進されて入射光が消耗することに起因する輝度不足及び全体の均一性低下に対して」と限定するものである。
　訂正事項ｅに関連する記載としては、特許明細書の段落番号【０００５】に、「薄肉とすればするほどエッジライトパネルにおける入射光乱反射のサイクルが小さくなり，乱反射が促進される結果，入射光の消耗が大きくなり，光源から離れるにつれて輝度の不足を生じたり，全体としての均一性が損なわれる傾向を招き易い。」と記載されているのであるから、上記目的は特許明細書に記載されているものと認められる。
　そうすると、上記訂正事項ｅは、特許明細書に記載された範囲内において「微細粗面」を形成する目的を限定するものといえるから、特許請求の範囲の減縮を目的とした明細書の訂正に該当するものであって、新規事項の追加に該当しない。
オ．訂正事項ｆについて
　訂正事項ｆは、「エッジライトパネル」を「液晶バックライト用エッジライトパネル」と限定するとともに、そのことによる効果を「上記液晶表示面の輝度と均一性を向上してなる」と記載するものである。
　訂正事項ｆに関連する記載としては、特許明細書の段落番号【００２２】に、「２次的な面照明の高度に確保された均一性を，例えば液晶表示面を注視するような用途においても違和感のない程度に更に向上確保して，輝度と均一性を更に高度に確保することができるエッジライトパネルを提供することができる。」と記載されているのであるから、「エッジライトパネル」を「液晶バックライト用エッジライトパネル」とし、そのことにより「上記液晶表示面の輝度と均一性を向上してなる」ことは特許明細書に記載されているものと認められる。
　そうすると、上記訂正事項ｆは、特許明細書に記載された範囲内において「エッジライトパネル」を限定するものといえるから、特許請求の範囲の減縮を目的とした明細書の訂正に該当するものであって、新規事項の追加に該当しない。
カ．訂正事項ｇについて
　訂正事項ｇは、請求項２及び３の末尾を「エッジライトパネル」から「液晶バックライト用エッジライトパネル」とエッジライトパネルの用途を限定するものである。
　訂正事項ｇに関連する記載として、特許明細書の段落番号【０００１】に、「本発明は，液晶バックライト，照明ディスプレイ，照明サイン，照明体等として好適に使用する面照明用のエッジライトパネルに関する。」と記載されているのであるから、上記「液晶バックライト用エッジライトパネル」は特許明細書に記載されているものと認められる。
　そうすると、上記訂正事項ｇは、特許明細書に記載された範囲内においてエッジライトパネルを限定するものといえるから、特許請求の範囲の減縮を目的とした明細書の訂正に該当するものであり、新規事項の追加に該当しない。
キ．訂正事項ａ及びｈ〜ｍについて
　訂正事項ａ及びｈ〜ｍは、訂正事項ｂ〜ｇによって請求項１〜３を訂正することに伴い、発明の名称及び発明の詳細な説明を訂正後の請求項１〜３に整合させるものであるから、明りょうでない記載の釈明を目的とした明細書の訂正に該当するものであって、新規事項の追加に該当しない。
　そして、訂正事項ａ〜ｍのいずれも、実質上特許請求の範囲を拡張し、又は変更するものでない。
（３）むすび
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書及び第２項の規定に適合するので、当該訂正を認める。
　
３．特許異議申立について
（１）本件発明
　上記２．で示したように上記訂正が認められるから、特許第３２０４９９９号の請求項１〜３に係る発明（以下、本件発明１〜３という。）は、訂正明細書及び図面の記載からみて、訂正明細書の請求項１〜３に記載された次のとおりのものと認める。
（本件発明１）
「２〜３ｍｍ乃至それ以下に肉厚を薄肉化した透明樹脂基板の裏面にドットパターンの乱反射面を印刷形成又は成型形成することによって蛍光灯の１次光源から入射端面を介して供給される入射光によって輝度と均一性を相当程度高度に確保した２次的な面照明の液晶表示面背面照明を行うようにするとともに上記透明樹脂基板の肉厚の薄肉化によって入射光乱反射のサイクルが小さくなり乱反射が促進されて入射光が消耗することに起因する輝度不足及び全体の均一性低下に対して上記入射端面をその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段として上記液晶表示面の輝度と均一性を向上してなることを特徴とする液晶バックライト用エッジライトパネル。」
（本件発明２）
「上記入射端面における微細粗面の形成を，該入射端面の長手方向部分的とするとともに該微細粗面部分を一次光源の端部に対面する光源端部近傍位置としてなることを特徴とする請求項１に記載の液晶バックライト用エッジライトパネル。」
（本件発明３）
「上記入射端面の微細粗面の形成を，該入射端面の長手方向全体的とするとともに長手方向中間を粗に端部を密にするように段階的又は無段階的に粗密変化してなることを特徴とする請求項１に記載の液晶バックライト用エッジライトパネル。」
（２）特許異議申立ての概要
　特許異議申立人・比気美保子は、証拠方法として
甲第１号証（実願昭６０−７９１１８号（実開昭６１−１９４９０６号）のマイクロフイルム）、
甲第２号証（実願昭６０−１６４３７０号（実開昭６２−７４２８２号）のマイクロフイルム）、
甲第３号証（特開昭６３−３３７０２号公報）、
甲第４号証（実願昭６３−４３８７９号（実開平１−１４６４０６号）のマイクロフイルム）、
甲第５号証（特開平９−１６００３６号公報）
を提出し、
本件発明１は、甲第１及び２号証に記載された発明に基づいて当業者が容易に発明をすることができたものであり、本件発明２及び３は、甲第１〜４号証に記載された発明に基づいて当業者が容易に発明をすることができたものであって、特許法第２９条第２項の規定により特許を受けることができないものであるから、また、
本件発明１〜３は、その特定事項である「微細点状凹凸を配置した微細粗面」について、特許明細書の段落番号【００１６】に、「微細粗面の形成は，上記矩形の板取によって各端面に生じたカッター傷を切削することによってこれを消失する切削端面仕上処理を施すに際して，・・・カッター送りスピードを，他の端面を鏡面に仕上げる最高速度・・・より・・・遅らせた１．２ｍ／分に設定して，上記切削端面仕上処理を施すことによって，・・・上記微細点状凹凸を残存するようにする」と記載されているが、一般の技術常識からすれば、カッターの刃の送りマークは、一定の規則性ある方向性をもって形成されると思料され、入射端面にスジ状のプリズム面が形成されると想像され、「微細点状凹凸」になるとは考えにくく、したがって、「微細点状凹凸を配置した微細粗面」がどのようなものか不明確であって、特許法第３６条第５項第２号及び第６項の規定により特許を受けることができないものであるから、さらに、
本件発明１〜３は、その特定事項である「微細点状凹凸を配置した微細粗面」は、出願当初の明細書に記載がなく、平成１２年１１月９日付け手続補正書により加入された新規事項であるから、本件特許出願はその出願日が平成１２年１１月９日に繰り下がるべきものであり、したがって、甲第５号証に記載された発明及び周知技術に基づいて当業者が容易に発明をすることができたものであって、特許法第２９条第２項の規定により特許を受けることができないものであるから、
本件発明１〜３についての特許は取り消されるべきものである旨主張している。
（３）引用刊行物
（あ）当審で通知した取消しの理由で引用した刊行物１（実願昭６０−１６４３７０号（実開昭６２−７４２８２号）のマイクロフイルム、異議申立人が提出した甲第２号証）には、第１〜８図とともに以下のような事項が記載されている。
ア．「方形の導光板と、上記導光板の一側端面に対向配置された直管型蛍光ランプよりなる棒状光源とで構成され、導光板の一側端面から導入された棒状光源からの光を表面側に適宜反射する反射面を導光板の裏面側に形成して成る面照明器具において、導光板の棒状光源との対向面に導光板を通る光の棒状光源の長手方向と平行な方向の光分布が均一になるような凹レンズ機能を有する凹凸面を形成したことを特徴とする面照明器具」（実用新案登録請求の範囲）
イ．「本考案は、液晶表示素子のバックライトとして用いる面照明器具に関するものである。」（明細書第１頁第１６及び１７行）
ウ．「従来、液晶表示素子のバックライトとして用いるこの種の面照明器具は、・・・アクリル樹脂のような透明樹脂よりなる方形の導光板１と、・・・図示例では導光板１の裏面１ｂを曲面に形成し、この裏面１ｂに・・・拡散面処理を施して反射面を形成している。」（明細書第１頁第１９行〜第２頁第９行）
エ．「棒状光源２の長手方向Ａに直交する方向（遠近方向）Ｂの輝度むらに対しては、裏面１ｂを曲面・・・にしたり、表面処理を適当にして対応しているものの、棒状光源２の長手方向Ａと平行な方向の輝度むらに対しては殆ど考慮されていなかった。・・・蛍光ランプの口金部分に対応する導光板１の両端部・・・の輝度が中央部に比べて低くなってしまい、大きな輝度むらが発生するという問題があった。」（明細書第２頁第１１行〜第３頁第２行）
オ．「棒状光源の長手方向と平行な方向の輝度むらを少なくして均一でしかも明るい面照明光を得ることができる面照明器具を提供する」（明細書第３頁第１３〜１６行）
カ．「第１図は本考案一実施例を示すもので、従来例と同様の面照明器具において、・・・本実施例にあっては、上記凹凸面１ｃをプリズムカット面としている。　いま、側端面から入射する光は第２図に示すように外側方に若干開くように屈折されて凹レンズ機能が実現されており、導光板１の両端部に蛍光ランプよりなる棒状光源２の中央部の光の一部が導入され、均一で明るい面照明光が得られるようになっている。」（明細書第３頁第１９行〜第４頁第１１行）
　上記ア．〜カ．の記載及び第１〜８図を総合すると、刊行物１には、以下のとおりの発明が記載されていると認められる。
「透明樹脂よりなる方形の導光板１の裏面１ｂに拡散面処理を施して反射面を形成し直管型蛍光ランプよりなる棒状光源２から一側端面を介して供給される光によって均一で明るい面照明光が得られる液晶表示素子のバックライトとして用いられるようにするとともに一側端面である導光板１の棒状光源２との対向面に導光板を通る光の棒状光源１の長手方向と平行な方向の光分布が均一になるような凹レンズ機能を有する凹凸面を形成した液晶表示素子のバックライトとして用いる面照明器具」（以下、引用発明１という。）
（い）同じく引用した刊行物２（実願昭６０−７９１１８号（実開昭６１−１９４９０６号）のマイクロフイルム、異議申立人が提出した甲第１号証）には、第１〜６図とともに以下のような事項が記載されている。
ア．「本考案は液晶表示などの背面照明に好適し、所定の面積に亘って照射する面照明形の表示用照明装置に関する。」（明細書第２頁第７〜９行）
イ．「図において１は、アクリル樹脂などよりなる透明性・・・の導光体であり、・・・背面にブラスト加工等による梨地面２を有し、この面に入射する光を乱反射させるようになっている。」（明細書第４頁第１３〜１８行）
ウ．「本実施例における耐熱管８，８には、内面・・・に梨地状の凹凸面９，９を形成してあり、この凹凸面９，９によって光拡散作用を生じるようにしてある。」（明細書第５頁末行〜第６頁第３行）
エ．「ランプ５，５の点灯により放射される光は、耐熱管８，８を透過し導光体１の肉厚内を透過する。この場合導光体１の背面側に向かう光はこの背面の梨地面２により乱反射され、この反射光は導光体１の表面３に向かい、この表面３を明るく輝かせる。」（明細書第６頁第１１〜１６行）
オ．「耐熱管８，８は、内面・・・に凹凸面９，９を形成したから、ランプ５，５から導光体１の肉厚内部に進入しようとする光が光拡散され、したがって導光体１の裏面に形成した梨地面２の拡散作用と協働して拡散性が向上し、表面３の光るさの分布を一層均等化する。　なお、凹凸面９，９を形成する場合には、表面をブラスト加工，シリカ粉末の付着，あるいは表面の侵蝕など、種々の手段で実現できる。」（明細書第７頁末行〜第８頁第９行）
　上記ア．〜オ．の記載及び第１〜６図を総合すると、刊行物２には、以下のとおりの発明が記載されていると認められる。
「アクリル樹脂などよりなる透明性の導光体１の背面に入射する光を乱反射させる梨地面２を有し、ランプ５，５の点灯により放射される光は、耐熱管８，８を透過し導光体１の肉厚内を透過する光によって、液晶表示などの背面照明を行うようにするとともに、耐熱管８，８は、内面に梨地状の凹凸面９，９を形成し、ランプ５，５から導光体１の肉厚内部に進入しようとする光を光拡散し、導光体１の裏面に形成した梨地面２の拡散作用と協働して拡散性が向上し、表面３の光るさの分布を一層均等化する面照明形の表示用照明装置。」
（４）対比・判断
ア．本件発明１について
　本件発明１と引用発明１とを対比すると、その機能・構造からみて、後者の「透明樹脂よりなる方形の導光板」が前者の「透明樹脂基板」に、以下同様に、「拡散面処理を施して反射面を形成」が「乱反射面を形成」に、「直管型蛍光ランプよりなる棒状光源」が「蛍光灯の１次光源」に、「一側端面を介して供給される光」が「入射端面を介して供給される入射光」に、「液晶表示素子のバックライト」が「液晶表示面背面照明」に、「液晶表示素子のバックライトとして用いる面照明器具」が「液晶バックライト用エッジライトパネル」にそれぞれ相当し、後者の「棒状光源・・・から・・・供給される光によって・・・面照明光が得られる・・・面照明器具」とは、棒状光源の光によって面照明光を得ているのであるから、前者の「２次的な面照明」に相当すると認められるので、両者は、
「透明樹脂基板の裏面に乱反射面を形成することによって蛍光灯の１次光源から入射端面を介して供給される入射光によって２次的な面照明の液晶表示面背面照明を行う液晶バックライト用エッジライトパネル。」の点で一致し、（ａ）透明樹脂基板に関し、前者が「２〜３ｍｍ乃至それ以下に肉厚を薄肉化した」のに対して、後者は肉厚を限定していない点、（ｂ）基板の裏面の乱反射面に関し、前者が「ドットパターン」を「印刷又は成型」形成することによって「輝度と均一性を相当程度高度に確保した」のに対して、後者は「ドットパターン」の形成及びこれによって「輝度と均一性を相当程度高度に確保した」ことが明確にされていない点、及び（ｃ）前者が「透明樹脂基板の肉厚の薄肉化によって入射光乱反射のサイクルが小さくなり乱反射が促進されて入射光が消耗することに起因する輝度不足及び全体の均一性低下に対して上記入射端面をその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段として上記液晶表示面の輝度と均一性を向上」するとしているのに対して、後者は入射端面にその長手方向と平行な方向の光分布が均一になるような凹レンズ機能を有する凹凸面を形成した点で両者は相違する。
・相違点（ａ）について
　本件発明１において、透明樹脂基板の肉厚を「２〜３ｍｍ乃至それ以下に」と数値限定する意味は、明細書の記載からみて薄肉化にあると認められるところ、液晶用バックライトにおいて、これを薄型化しようとすることは周知である（必要あれば、特開平１−１８３６２６号公報、特開昭５４−１４３０９４号公報等参照）から、薄型化するために、引用発明１における透明樹脂基板の肉厚を２〜３ｍｍ乃至それ以下とする程度のことは、当業者が適宜なし得る設計的事項と認められる。
・相違点（ｂ）について
　基板の裏面にドットパターンの乱反射面を印刷形成することによって蛍光灯の１次光源から入射端面を介して供給される入射光によって輝度と均一性を相当程度高度に確保することは、例えば、特開平２−１５７７９１号公報や実願昭６３−４３８７９号（実開平１−１４６４０６号）のマイクロフイルム（異議申立人が提出した甲第４号証）等に示されるように周知である。したがって、引用発明１における乱反射面に上記周知の技術を適用し、ドットパターンの乱反射面を印刷形成又は成型形成し輝度と均一性を相当程度高度に確保することは、当業者にとって容易になし得ることと認められる。 
・相違点（ｃ）について
　刊行物２に記載される発明は、液晶表示などの背面照明用の透明性樹脂よりなる導光体（本件発明１の「透明樹脂基板」に相当する。以下同様）の裏面に梨地面（「乱反射面」）を形成することによってランプの１次光源から耐熱管を介して供給される光（「入射光」）による２次的な面照明の液晶表示などの背面照明（「液晶表示面背面照明」）をおこなうようにするとともに、耐熱管の内面（「入射端面」）に梨地状の凹凸面（「微細点状凹凸」）を形成することによって、入射光である透明樹脂基板の肉厚内に進入しようとする光を光拡散し、透明樹脂基板の裏面に形成した梨地面２の拡散作用と協働して拡散性が向上し、表面３の光るさの分布を一層均等化する面照明形の表示用照明装置（「液晶バックライト用エッジライトパネル」）といえること、上記微細点状凹凸の作用である「入射光である透明樹脂基板の肉厚内に進入しようとする光を光拡散し、透明樹脂基板の裏面に形成した梨地面２の拡散作用と協働して拡散性が向上し、表面３の光るさの分布を一層均等化する」とは「入射光の無方向的強制拡散によって２次的な面照明の」「均一性向上の手段」であり、当該エッジライトパネルが液晶表示面背面照明である以上「液晶表示面の均一性を向上する」ものであると認められること、そして引用発明１は、棒状光源の長手方向と平行な方向の光分布が均一になるような凹凸面を入射端面に設けることが示されており、その凹凸面は両端部に中央部の光の一部を導入するものつまり中央部の光を拡散するものであることから、引用発明１に、その拡散のための手段として刊行物２に記載される発明を適用することが当業者にとって格別の困難性を要するとは認められない。
　また、「入射端面による捕捉入射光量増大」の点について、本件明細書全体の記載からみて入射端面を微細点状凹凸を配置した微細粗面として形成することに対する効果をいうものと認められ、刊行物２には入射端面に微細点状凹凸を配置した微細粗面を設けるものが示されているのであるから、当然同様の効果を有するものと認められる。
　さらに、「透明樹脂基板の肉厚の薄肉化によって入射光乱反射のサイクルが小さくなり乱反射が促進されて入射光が消耗することに起因する輝度不足及び全体の均一性低下に対して」なる記載について、エッジライトとして用いられる透明樹脂基板内では、入射光は表面と裏面の間を繰り返し反射しながら伝播するものであって（特開平２−１５７７９１号公報や特開昭６３−２０８００１号公報等参照）、薄肉化するとこの反射のサイクルが小さくなり、そのことによって光の減衰が大きくなって、均一性が低下することも想定されるが、輝度不足及び全体の均一性低下に対する対策が必要なことは透明樹脂基板の厚さにかかわらず普遍的に存在する課題であって、上記のとおり引用発明１に刊行物２に記載される発明を適用することでこれらの対策がなされることは明らかであるから、この限定が当業者にとって格別の困難性を要するものとは認められない。
　以上のとおりであるから、刊行物２に記載の事項を引用発明１に適用して本件発明の構成となすことは、当業者が格別の困難性を要することなく容易になし得るものと認められる。
　また、発明を全体としてみても、その効果が格別であるとはいえない。
　したがって、本件発明は、周知・慣用技術を考慮すれば、上記刊行物１及び２に記載の発明に基づいて当業者が容易に発明をすることができたものである。
イ．本件発明２について
　本件発明２が、引用発明１と相違する点は、上記相違点（ａ）〜（ｃ）以外に、（ｄ）「上記入射端面における微細粗面の形成を，該入射端面の長手方向部分的とするとともに該微細粗面部分を一次光源の端部に対面する光源端部近傍位置と」する点のみである。
・相違点（ｄ）について
　刊行物１には、「蛍光ランプの口金部分に対応する導光板１の両端部・・・の輝度が中央部に比べて低くなってしまい、大きな輝度むらが発生するという問題があった。」〔上記３．（３）（あ）ウ．参照〕と記載されているのであるから、輝度が低下するという問題がある一次光源端部に対面する部分に微細粗面を設ける程度のことは、当業者が適宜なし得る設計的事項である。
　また、相違点（ａ）〜（ｃ）については、上記３．（４）ア．で述べたとおりである。
　そして、発明を全体としてみても、その効果が格別であるとはいえない。
　したがって、本件発明は、周知・慣用技術を考慮すれば、上記刊行物１及び２に記載の発明に基づいて当業者が容易に発明をすることができたものである。
ウ．本件発明３について
　本件発明３が、引用発明１と相違する点は、上記相違点（ａ）〜（ｃ）以外に、（ｅ）「上記入射端面の微細粗面の形成を，該入射端面の長手方向全体的とするとともに長手方向中間を粗に端部を密にするように段階的又は無段階的に粗密変化」する点のみである。
・相違点（ｅ）について
　刊行物１には、「蛍光ランプの口金部分に対応する導光板１の両端部・・・の輝度が中央部に比べて低くなってしまい、大きな輝度むらが発生するという問題があった。」〔上記３．（３）（あ）ウ．参照〕と記載されているのであるから、輝度が低下するという問題がある一次光源端部に対面する部分に微細粗面を密に設けるとともに、より良い均一性を得るように全体に亘って中央部は密度を粗に微細粗面を設けて、細かく輝度の分布を調整することは、当業者が適宜なし得る設計的事項であると認められる。
　また、相違点（ａ）〜（ｃ）については、上記３．（４）ア．で述べたとおりである。
　そして、発明を全体としてみても、その効果が格別であるとはいえない。
　したがって、本件発明は、周知・慣用技術を考慮すれば、上記刊行物１及び２に記載の発明に基づいて当業者が容易に発明をすることができたものである。
エ．意見書の主張
　特許権者は意見書において、
（Ａ）刊行物２の梨地状の凹凸面は導光板裏面の梨地面が協働することを前提とするものであって、引用発明１が導光板裏面の梨地面を前提としていないから、刊行物２に記載の発明を引用発明１に適用できない。
（Ｂ）引用発明１は、アクリルの性状によって傾斜進行することによる輝度むらを解消するよう凹レンズ機能を有する凹凸面設けるものであるから、刊行物２に記載の梨地状の凹凸面を適用しても輝度や均一性を確保し得ない。
（Ｃ）刊行物２の凹凸面はアクリルと異なる耐熱管の内面に設けられるものであって、透明樹脂基板の入射端面に設けるものではない。耐熱管は光を消耗するから入射端面に相当しない。
（Ｄ）刊行物２の光源は蛍光灯でないから、梨地状の凹凸面は蛍光灯の入射光を受けるものではない。
と、主張している。
・主張（Ａ）について
　刊行物２の梨地状の凹凸面は、裏面の乱反射面と協働して均一性を向上するものであるが、この凹凸面は入射端面で入射光を光拡散するものであり、さらにいえば裏面の乱反射面がなくとも均一性が向上することも当業者にとって明らかであって、引用発明１には入射端面に凹凸面を設けて中央部の光を拡散し光分布を均一にするものが示されているのであるから、導光体の裏面に乱反射面があるか否かにかかわらず、刊行物２に記載された梨地状の凹凸面を引用発明１の入射端面に適用することが当業者にとって格別の困難性を要するものとは認められない。
・主張（Ｂ）について
　引用発明１の導光板がアクリルであるとしても、特許権者が主張するアクリル性状の特性については何ら述べておらず、入射端面に設けた凹凸面によって光分布を均一にするものであるから、同じく明るさの均一性の向上を目的とする刊行物２に記載された梨地状の凹凸面を適用することに格別の困難性は認められない。そして、梨地状の凹凸面を設けても均一性が得られないと主張しても、本件発明１〜３における実施例でも、アクリル製透明樹脂基板を用いることが示されているのであるから、その効果において差異が認められず、当該主張は失当である。
・主張（Ｃ）について
　刊行物２の凹凸面が直接透明樹脂基板に設けるものでなく、材質がアクリルでないと主張しても、刊行物２の耐熱管に設ける梨地状の凹凸面は導光体に進入する光をその入射する面で拡散して均一性を向上するものであって、かつ梨地状の凹凸面は材質にかかわらず光を拡散して均一性を向上することも自明であること、そして引用発明１には導光板の入射端面に均一性向上のために凹凸面を設けることが示されているのであるから、引用発明１の入射端面に刊行物２に記載の梨地状の凹凸面を適用することが、当業者にとって格別の困難性を要したとは認められない。また、耐熱管が光を消耗すると主張しても、耐熱管はアクリル樹脂などの導光体をランプの放熱から遮断するためのものであって、内面に設けられる梨地状の凹凸面は、導光体の端面への入射光をその端面の直前で拡散するものにかわりはなく、引用発明１の入射端面に刊行物２に記載の梨地状の凹凸面を適用することを困難にするものとは認められない。
・主張（Ｄ）について
　刊行物２の光源が蛍光灯でないと主張しても、刊行物２は、入射端面において梨地状の凹凸面を設けて入射光を拡散する点を引用するものであって、かつ凹凸面による拡散において刊行物２のランプと蛍光灯とで拡散そのものに差異が認められないから、引用発明１に刊行物２の梨地状の凹凸面を適用することを、困難とするものとは認められない。
　したがって、上記特許権者の主張（Ａ）〜（Ｄ）は採用できない。
（５）むすび
　以上のとおりであるから、本件発明１〜３は、その出願日前に頒布された刊行物に記載された発明に基づいて当業者が容易に発明をすることができたものであるから、特許法第２９条第２項の規定により特許を受けることができない。
　したがって、本件発明１〜３についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年９月２５日（２００２．９．２５）
【訂正の要旨】
訂正の要旨
ア．訂正事項ａ
　発明の名称を「エッジライトパネル」から「
液晶バックライト用
イ．訂正事項ｂ
　請求項１における「透明樹脂基板」なる記載を「
２〜３ｍｍ乃至それ以下に肉厚を薄肉化した
ウ．訂正事項ｃ
　請求項１における「裏面に乱反射面を形成する」なる記載を「裏面に
ドットパターンの
印刷形成又は成型
エ．訂正事項ｄ
　請求項１における「２次的な面照明を行なうようにする」なる記載を「
輝度と均一性を相当程度高度に確保した
の液晶表示面背面照明
行う
オ．訂正事項ｅ
　請求項１における「上記入射端面をその長手方向全体的又は部分的に微細点状凹凸を配置した微細粗面として形成する」なる記載を「
上記透明樹脂基板の肉厚の薄肉化によって入射光乱反射のサイクルが小さくなり乱反射が促進されて入射光が消耗することに起因する輝度不足及び全体の均一性低下に対して
カ．訂正事項ｆ
　請求項１における「上記２次的な面照明における輝度向上と均一性向上の手段としてなることを特徴とするエッジライトパネル」なる記載を「上記２次的な面照明における輝度向上と均一性向上の手段として
上記液晶表示面の輝度と均一性を向上して
液晶バックライト用
キ．訂正事項ｇ
　請求項２及び３における「エッジライトパネル」なる記載を「
液晶バックライト用
ク．訂正事項ｈ
　明細書段落番号【０００１】の「本発明は，液晶バックライト，照明ディスプレイ，照明サイン，照明体等として好適に使用する面照明用のエッジライトパネルに関する。」なる記載を「本発明は
エッジライトパネルに関し，特に液晶バックライト用
ケ．訂正事項ｉ
　明細書段落番号【０００６】の「薄肉のものとした場合を含め，２次的な照明における輝度と均一性を更に高度に確保することができるエッジライトパネルを提供するにある。」なる記載を「薄肉のものとした
場合に
液晶バックライト用
コ．訂正事項ｊ
　明細書段落番号【０００７】の「透明樹脂基板の裏面に乱反射面を形成することによって１次光源から入射端面を介して供給される入射光によって２次的な面照明を行なうようにするとともに上記入射端面をその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段としてなることを特徴とするエッジライトパネルとしたものである。」なる記載を「
２〜３ｍｍ乃至それ以下に肉厚を薄肉化した
ドットパターンの
印刷形成又は成型
蛍光灯の
輝度と均一性を相当程度高度に確保した
の液晶表示面背面照明
行う
上記透明樹脂基板の肉厚の薄肉化によって入射光乱反射のサイクルが小さくなり乱反射が促進されて入射光が消耗することに起因する輝度不足及び全体の均一性低下に対して
上記液晶表示面の輝度と均一性を向上して
液晶バックライト用
サ．訂正事項ｋ
　明細書段落番号【０００８】及び【０００９】の「エッジライトパネル」なる記載を「
液晶バックライト用
シ．訂正事項ｌ
　明細書段落番号【００１４】の「エッジライトパネル９は，透明樹脂基板１０の裏面に乱反射面１１を形成することによって蛍光灯の１次光源１７から入射端面１４を介して供給される入射光によって２次的な面照明を行なうようにしてあり」なる記載を「エッジライトパネル９は，
２〜３ｍｍ乃至それ以下に肉厚を薄肉化した
ドットパターンの
印刷形成又は成型
源か
輝度と均一性を相当程度高度に確保した
の液晶表示面背面照明
行う
ス．訂正事項ｍ
　明細書段落番号【００１５】の「エッジライトパネル９の入射端面１４は，これをその長手方向全体的又は部分的に微細点状凹凸を配置した微細粗面として形成することによって該入射端面による捕捉入射光量増大と入射光の無方向的強制拡散とによる上記２次的な面照明における輝度向上と均一性向上の手段としてあり」なる記載を「エッジライトパネル９
は，上記透明樹脂基板１０の肉厚の薄肉化によって入射光乱反射のサイクルが小さくなり乱反射が促進されて入射光が消耗することに起因する輝度不足及び全体の均一性低下に対して上記
を
上記液晶表示面の輝度と均一性を向上したものとして
（５４）【発明の名称】
液晶バックライト用
（５７）【特許請求の範囲】
　【請求項１】　
２〜３ｍｍ乃至それ以下に肉厚を薄肉化した
ドットパターンの
印刷形成又は成型
輝度と均一性を相当程度高度に確保した
の液晶表示面背面照明
上記透明樹脂基板の肉厚の薄肉化によって入射光乱反射のサイクルが小さくなり乱反射が促進されて入射光が消耗することに起因する輝度不足及び全体の均一性低下に対して
上記液晶表示面の輝度と均一性を向上
液晶バックライト用
　【請求項２】　上記入射端面における微細粗面の形成を，該入射端面の長手方向部分的とするとともに該微細粗面部分を一次光源の端部に対面する光源端部近傍位置としてなることを特徴とする請求項１に記載の
液晶バックライト用
　【請求項３】　上記入射端面の微細粗面の形成を，該入射端面の長手方向全体的とするとともに長手方向中間を粗に端部を密にするように段階的又は無段階的に粗密変化してなることを特徴とする請求項１に記載の
液晶バックライト用
【発明の詳細な説明】
　【０００１】
　【産業上の利用分野】
　本発明は
エッジライトパネルに関し，特に液晶バックライト用
　【０００２】
　【従来の技術】
　この種のエッジライトパネルは，透明樹脂基板の裏面に乱反射面を形成することによって１次光源から入射端面を介して供給される入射光によって２次的な面照明を行なうようにするものとされる。このとき透明樹脂基板は，アクリル等の光透過率の高い材料によって，その肉厚を一般に数ｍｍ，例えば５〜６ｍｍ程度のものとされ，例えばその裏面にスクリーン印刷を施すことによって，例えばドットパターンによる乱反射面を印刷形成し，また透明樹脂基板を成型することによって同様な乱反射面を成型形成するものとされ，このとき入射端面は一般に長手方向全体の鏡面をなすものとされている。
　【０００３】
　【発明が解決しようとする課題】
　この場合２次的な面照明の輝度と均一性を相当程度高度に確保することができ，例えば液晶表示面を背面照明する液晶バックライトとしてラップトップ型コンピュータ，ワードプロセッサ等の電子機器に内蔵設置されることも多く，これらの需要が急速に拡大する傾向にある。
　【０００４】
　しかしこの種電子機器は，その液晶表示面を注視して使用するものとされるから，この液晶表示面の背面照明を行なう液晶バックライト用のエッジライトパネルは，その２次的な面照明における輝度と均一性が極めて高度に要求される傾向が強く，更にこれら輝度と均一性の双方を一層向上する必要がある。
　【０００５】
　また上記電子機器に内蔵設置されることによって液晶バックライト乃至そのエッジライトパネルのコンパクト化が求められており，エッジライトパネルは，例えば上記従来の数ｍｍの肉厚から，２〜３ｍｍ乃至それ以下の，例えば１．５ｍｍ程度に薄肉化する必要があるが，薄肉とすればするほどエッジライトパネルにおける入射光乱反射のサイクルが小さくなり，乱反射が促進される結果，入射光の消耗が大きくなり，光源から離れるにつれて輝度の不足を生じたり，全体としての均一性が損なわれる傾向を招き易い。
　【０００６】
　本発明はかかる事情にもとづいてなされたもので，その解決課題とするところは，薄肉のものとした
場合に
液晶バックライト用
　【０００７】
　【課題を解決するための手段】
　上記課題に添って鋭意研究を重ねた結果，上記一般に鏡面とされて１次光源からの入射光をエッジライトパネルに供給する入射端面を微細点状凹凸を配置した微細粗面とすることによって，入射端面による入射光の捕捉作用が得られて，捕捉入射光量が増大し，２次的な面照明の高度に確保された平均輝度を，更に例えば数％程度向上する輝度向上手段とし得ること，また入射端面による入射光の無方向的な強制拡散作用が得られて２次的な面照明の高度に確保された均一性を，例えば上記液晶表示面を注視しても違和感のない程度に更に向上する均一性向上手段とし得ることの知見を得るに至り，本発明を行なったもので，即ち請求項１に記載の発明を，
２〜３ｍｍ乃至それ以下に肉厚を薄肉化した
ドットパターンの
印刷形成又は成型
輝度と均一性を相当程度高度に確保した
の液晶表示面背面照明
上記透明樹脂基板の肉厚の薄肉化によって入射光乱反射のサイクルが小さくなり乱反射が促進されて入射光が消耗することに起因する輝度不足及び全体の均一性低下に対して
上記液晶表示面の輝度と均一性を向上
液晶バックライト用
　【０００８】
　請求項２に記載の発明は，上記に加えて，上記捕捉入射光量の増大とその強制拡散を，一次光源の端部に対面する入射端面の光源端部近傍において行なうことが，一次光源の端部付近の発光輝度の低下に拘らず２次的な面照明における輝度と均一性を向上してこれらを高度に確保し得ることから，これを，上記入射端面における微細粗面の形成を，該入射端面の長手方向部分的とするとともに該微細粗面部分を一次光源の端部に対面する光源端部近傍位置としてなることを特徴とする請求項１に記載の
液晶バックライト用
　【０００９】
　請求項３に記載の発明は，同じく上記に加えて，上記捕捉入射光量の増大とその強制拡散を，入射端面の全体において行なうとともにその上記光源端部近傍においてその程度をアップすることが，２次的な面照明における輝度と均一性を向上してこれらを高度に確保し得ることから，これを，上記入射端面の微細粗面の形成を，該入射端面の長手方向全体的とするとともに長手方向中間を粗に端部を密にするように段階的又は無段階的に粗密変化してなることを特徴とする請求項１に記載の
液晶バックライト用
　【００１０】
　本発明はこれらをそれぞれ発明の要旨として，上記課題解決の手段としたものである。
　【００１１】
　【実施例】
　以下実施例を示す図面に従って本発明を更に説明すれば，図１乃至図３において，１はポータブルタイプのワードプロセッサであり，このワードプロセッサ１は，キーボード部３を備えた本体２と，この本体２に対して起倒自在に連結され且つこれに対面重合状に収容される起倒表示部４とを備えたものとしてある。
　【００１２】
　起倒表示部４は約１０ｍｍ程度に薄肉化した幅広平板状に構成され，その正面側に透明保護パネル５によって保護した液晶表示面を設けてあり，また，この起倒表示部４には，その液晶表示パネル６を背面照明するように液晶バックライト７を内蔵設置したものとしてある。
　【００１３】
　液晶バックライト７は，本例において表面側から積層状に配置した乳白色ポリエステル製の拡散シート８，エッジライトパネル９，同じく乳白色ポリエステルの反射シート１６と，エッジライトパネル９の入射端面１４にその長手方向に添いこれに臨むように近接配置した単一の入射光供給用の冷陰極蛍光灯による一次光源１７及び図示を省略した，特に薄型に形成したインバータとを備えたものとしてある。
　【００１４】
　エッジライトパネル９は，
２〜３ｍｍ乃至それ以下に肉厚を薄肉化した
ドットパターンの
印刷形成又は成型
輝度と均一性を相当程度高度に確保した
の液晶表示面背面照明
　【００１５】
　エッジライトパネル９は，
上記透明樹脂基板１０の肉厚の薄肉化によって入射光乱反射のサイクルが小さくなり乱反射が促進されて入射光が消耗することに起因する輝度不足及び全体の均一性低下に対して
上記液晶表示面の輝度と均一性を向上
　【００１６】
　本例において該微細粗面の形成は，上記矩形の板取によって各端面に生じたカッター傷を切削することによってこれを消失する切削端面仕上処理を施すに際して，例えばこれに用いた切削仕上機（朝日メガロ株式会社製プラビューティＰＢ−１０００）のカッター送りスピードを，他の端面を鏡面に仕上げる最高速度１．５ｍ／分より，例えば約２割程度遅らせた１．２ｍ／分に設定して，上記切削端面仕上処理を施すことによって，入射端面１４の全体に亘って上記微細点状凹凸を残存するようにすることによりこれを行なったものとしてある。
　【００１７】
　このように形成した入射端面１４の微細粗面によって，一次光源１７から該入射端面１４を介してエッジライトパネル９に供給される入射光はその光量が増加し，該微細粗面が捕捉入射光量増大によって２次的な面照明における高度に確保された平均輝度を，例えば数％程度向上する輝度向上手段となるとともに該光量を増加した入射光の入射段階における無方向的強制拡散によって，乱反射面１１の乱反射機能を活性化してその高度に確保された均一性を向上する均一性向上手段となり，該入射端面の微細粗面により２次的な面照明における輝度と均一性の双方を向上してそれぞれ高度に確保するものとなし得た。
　【００１８】
　図５乃至図８は他の例を示したもので，図５はエッジライトパネル９の入射端面１４を対向する端面に配置し，それぞれ冷陰極蛍光灯による一次光源１７を各入射端面１４にそれぞれ近接配置した両側光源用とし，上記乱反射面１１の最大面積比部分１２を入射端面１４間中央に配置するとともに各入射端面１４を上記と同様に微細点状凹凸を配置した長手方向全体的な微細粗面として形成した例，図６は液晶バックライト７を断面Ｃ字状の反射シート兼用の白色シート１８によってカバーして一体的なユニットとし，同様にエッジライトパネル９の入射端面１４を同様に微細粗面として形成した例，図７及び図８はエッジライトパネル９の入射端面１４における微細粗面の形成を，該入射端面１４の長手方向部分的とするとともに該微細粗面部分を一次光源１７の端部に対面する，例えば２ｃｍ幅程度の光源端部近傍位置とし，また乱反射面１１を入射端面１４側から離隔面内方向に平行無段階的に面積比を２０〜５０％の範囲で変化させるようにした例，図９はエッジライトパネル９の入射端面１４の微細粗面の形成を，該入射端面１４の長手方向全体的とするとともに長手方向中間を粗に端部を密にするように段階的又は無段階的に粗密変化，本例にあっては段階的に粗密変化した例である。その余は上記例を変わらないので同一符号を付して重複する説明を省略する。
　【００１９】
　これら図５乃至図８における入射端面１４の微細粗面によっても，同様に２次的な面照明の高度に確保された平均輝度を，例えば数％程度向上する輝度向上手段となるとともに無方向強制拡散により高度に確保された均一性を向上する均一性向上手段となり，いずれも該入射端面の微細粗面により２次的な面照明におけるそれぞれ高度に確保された輝度と均一性の双方を向上するものとなし得た。
　【００２０】
　図中１３はエッジライトパネル９の上記鏡面仕上した反射端面に配置した白色テープ等による反射層を示す。
　【００２１】
　図示した例は以上のとおりとしたが，透明樹脂基板の入射端面を上記微細粗面とする形成を，上記切削加工処理の他，ショットブラスト等の後加工処理，各透明樹脂基板の成型に際して入射端面対応部分にその反転粗面を形成した金型を用いた一体成型によるものとすること，同じく入射端面を上記微細粗面とするについて上記切削加工処理によるとき，例えばセラミック製回転カッターの先端鋭角刃を切削除去し，これを平面乃至湾曲状とすることによって上記一次光源対向端面を研磨するようにすること等を含めてエッジライトパネル，その透明樹脂基板，一次光源，微細粗面の入射端面等の各具体的形状，材質，形状，用途，生産乃至形成手段等は上記発明の要旨に反しない限り様々な形態のものとすることができる。
　【００２２】
　【発明の効果】
　本発明は以上のとおりに構成したから，請求項１に記載の発明は，１次光源からの入射光をエッジライトパネルに供給する入射端面を微細点状凹凸を配置した微細粗面とする入射端面による入射光の捕捉作用によって，捕捉入射光量を増大し，２次的な面照明の高度に確保された平均輝度を，更に例えば数％程度向上する輝度向上手段とし且つ入射端面による入射光の無方向的な強制拡散作用によって，２次的な面照明の高度に確保された均一性を，例えば液晶表示面を注視するような用途においても違和感のない程度に更に向上確保して，輝度と均一性を更に高度に確保することができるエッジライトパネルを提供することができる。
　【００２３】
　請求項２に記載の発明は，上記に加えて，上記捕捉入射光量の増大とその強制拡散を，一次光源の端部に対面する入射端面の光源端部近傍において行なうことによって，一次光源の端部付近の発光輝度の低下に拘らず，２次的な面照明における輝度と均一性を向上してこれらを高度に確保したものとすることができる。
　【００２４】
　請求項３に記載の発明は，同じく上記に加えて，上記捕捉入射光量の増大とその強制拡散を，入射端面の全体において行なうとともにその上記光源端部近傍においてその程度をアップすることによって，２次的な面照明における輝度と均一性を向上してこれらを高度に確保したものとすることができる。
【図面の簡単な説明】
　【図１】　ワードプロセッサの一部切欠き斜視図である。
　【図２】　液晶バックライトの分解斜視図である。
　【図３】　エッジライトパネルの正面図である。
　【図４】　最大面積比部分の拡大正面図である。
　【図５】　他の例に係るエッジライトパネルの正面図である。
　【図６】　他の例に係る液晶バックライトの分解斜視図である。
　【図７】　他の例に係るエッジライトパネルの斜視図である。
　【図８】　乱反射面の拡大正面図である。
　【図９】　他の例に係るエッジライトパネルの分解斜視図である。